(57)【要約】【課題】自身に非常事態が発生した場合に、周囲の人に救助を求めるためのより確実な機能をカメラ付き情報携帯端末に搭載する。【解決手段】ストロボ部６を有するカメラ付き携帯電話機１Ａにおいて、ストロボ部６のフラッシュの発光タイミングを制御する制御部２と、通常の撮影モードと非常時モードの切り替えを行う非常時ボタンとを備えており、前記非常時ボタンが押されて装置が非常時モードに切り替えられると、制御部２は、ストロボ部のフラッシュの発光タイミングをモールス信号のＳＯＳのタイミングに合わせて複数回連続発光させると一定時間発光を停止し、その後再び前記ＳＯＳのタイミングに合わせて複数回連続発光させる処理を繰り返す非常発光制御を実行する。【選択図】図１
2008085409.tif 000002
【特許請求の範囲】
【請求項１】
内蔵のストロボ手段と着脱可能な外付けのストロボ手段とを有するカメラ付き情報携帯端末において、
前記内蔵及び外付けのストロボ手段の各ストロボ光の発光タイミングを制御する制御手段と、
内蔵カメラの通常の撮影モードと非常時モードの切り替えを行う切替手段と、
周囲の音を検知する音センサとを備えており、
前記切替手段により非常時モードに切り替えられたとき、前記制御手段は、前記内蔵のストロボ手段のストロボ光を前記ＳＯＳのタイミングに合わせて複数回連続発光させると一定時間発光を停止し、その後再び前記ＳＯＳのタイミングに合わせて複数回連続発光させる処理を繰り返す非常発光制御を実行するとともに、前記音センサから検知信号が入力されたとき、前記外付けのストロボ手段のストロボ光の発光タイミングをモールス信号のＳＯＳのタイミングで連続発光させる非常発光制御を実行することを特徴とするカメラ付き情報携帯端末。
【請求項２】
ストロボ手段を有するカメラ付き情報携帯端末において、
ストロボ光の発光タイミングを制御する制御手段と、
内蔵カメラの通常の撮影モードと非常時モードの切り替えを行う切替手段とを備えており、
前記切替手段により非常時モードに切り替えられたとき、前記制御手段は、前記ストロボ光の発光タイミングをモールス信号のＳＯＳのタイミングに合わせて複数回連続発光させると一定時間発光を停止し、その後再び前記ＳＯＳのタイミングに合わせて複数回連続発光させる処理を繰り返す非常発光制御を実行することを特徴とする請求項２に記載のカメラ付き情報携帯端末。
【請求項３】
周囲の光量変化を検知する光センサを備えており、
前記切替手段により非常時モードに切り替えられたとき、前記制御手段は、前記光センサからの検知信号の入力待ち状態に移行し、前記光センサから検知信号が入力されたとき、前記非常発光制御を実行することを特徴とする請求項２に記載のカメラ付き情報携帯端末。
【請求項４】
周囲の音を検知する音センサを備えており、
前記切替手段により非常時モードに切り替えられたとき、前記制御手段は、前記音センサからの検知信号の入力待ち状態に移行し、前記音センサから検知信号が入力されたとき、前記非常発光制御を実行することを特徴とする請求項２に記載のカメラ付き情報携帯端末。
【請求項５】
第１のストロボ手段と第２のストロボ手段とを有するカメラ付き情報携帯端末において、
前記第１及び第２のストロボ手段の各ストロボ光の発光タイミングを制御する制御手段と、
内蔵カメラの通常の撮影モードと非常時モードの切り替えを行う切替手段と、
周囲の光量変化を検知する光センサとを備えており、
前記切替手段により非常時モードに切り替えられたとき、前記制御手段は、前記第１のストロボ手段のストロボ光の発光タイミングをモールス信号のＳＯＳのタイミングで連続発光させる非常発光制御を実行するとともに、前記光センサから検知信号が入力されたとき、前記第２のストロボ手段のストロボ光の発光タイミングをモールス信号のＳＯＳのタイミングで連続発光させる非常発光制御を実行することを特徴とするカメラ付き情報携帯端末。
【請求項６】
第１のストロボ手段と第２のストロボ手段とを有するカメラ付き情報携帯端末において、
前記第１及び第２のストロボ手段の各ストロボ光の発光タイミングを制御する制御手段と、
内蔵カメラの通常の撮影モードと非常時モードの切り替えを行う切替手段と、
周囲の光量変化を検知する光センサとを備えており、
前記切替手段により非常時モードに切り替えられたとき、前記制御手段は、前記第１のストロボ手段のストロボ光を前記ＳＯＳのタイミングに合わせて複数回連続発光させると一定時間発光を停止し、その後再び前記ＳＯＳのタイミングに合わせて複数回連続発光させる処理を繰り返す非常発光制御を実行するとともに、前記光センサから検知信号が入力されたとき、前記第２のストロボ手段のストロボ光の発光タイミングをモールス信号のＳＯＳのタイミングで連続発光させる非常発光制御を実行することを特徴とするカメラ付き情報携帯端末。
【請求項７】
第１のストロボ手段と第２のストロボ手段とを有するカメラ付き情報携帯端末において、
前記第１及び第２のストロボ手段の各ストロボ光の発光タイミングを制御する制御手段と、
内蔵カメラの通常の撮影モードと非常時モードの切り替えを行う切替手段と、
周囲の音を検知する音センサとを備えており、
前記切替手段により非常時モードに切り替えられたとき、前記制御手段は、前記第１のストロボ手段のストロボ光の発光タイミングをモールス信号のＳＯＳのタイミングで連続発光させる非常発光制御を実行するとともに、前記音センサから検知信号が入力されたとき、前記第２のストロボ手段のストロボ光の発光タイミングをモールス信号のＳＯＳのタイミングで連続発光させる非常発光制御を実行することを特徴とするカメラ付き情報携帯端末。
【請求項８】
第１のストロボ手段と第２のストロボ手段とを有するカメラ付き情報携帯端末において、
前記第１及び第２のストロボ手段の各ストロボ光の発光タイミングを制御する制御手段と、
内蔵カメラの通常の撮影モードと非常時モードの切り替えを行う切替手段と、
周囲の音を検知する音センサとを備えており、
前記切替手段により非常時モードに切り替えられたとき、前記制御手段は、前記第１のストロボ手段のストロボ光を前記ＳＯＳのタイミングに合わせて複数回連続発光させると一定時間発光を停止し、その後再び前記ＳＯＳのタイミングに合わせて複数回連続発光させる処理を繰り返す非常発光制御を実行するとともに、前記音センサから検知信号が入力されたとき、前記第２のストロボ手段のストロボ光の発光タイミングをモールス信号のＳＯＳのタイミングで連続発光させる非常発光制御を実行することを特徴とするカメラ付き情報携帯端末。
【請求項９】
前記第１のストロボ手段がカメラ付き情報携帯端末に内蔵のストロボ手段であり、前記第２のストロボ手段が着脱可能な外付けのストロボ手段であることを特徴とする請求項５ないし請求項７のいずれかに記載のカメラ付き情報携帯端末。
【発明の詳細な説明】
【技術分野】
【０００１】
本発明は、ストロボ機能を有するカメラ付き情報携帯端末に係り、より詳細には、遭難等の非常時に有効なカメラ付き情報携帯端末に関する。
【背景技術】
【０００２】
従来、携帯電話機に非常ライトを取り付けたり、カメラ付き携帯電話機のカメラ手段やストロボ手段を利用して、非常事態に迅速に対応できるようにした技術が開示されている（例えば、特許文献１，２等参照）。
【０００３】
特許文献１に記載の携帯電話機は、携帯電話機の内部に非常ライト及び警報機を取り付け、メニュー画面で操作することにより、光のモールス信号でＳＯＳ信号を発信可能となっている。
【０００４】
また、特許文献２に記載の携帯電話機は、フラッシュライト、ストロボ等の発光手段を内蔵または外部に着脱可能に設け、盗難等の事態を検知すると撮影手段に内蔵されたセンサまたは携帯電話機を制御する制御回路からの信号によって、発光手段が断続的または連続的に発光するようになっている。
【特許文献１】特開２００２−０２７０４６号公報
【特許文献２】特開２００５−３１１９９５号公報
【発明の開示】
【発明が解決しようとする課題】
【０００５】
上記特許文献１の携帯電話機の場合、遭難等の非常事態となったとき、非常ライトの点滅で光によるＳＯＳ信号を発信することができるが、携帯電話機はバッテリの容量が限られているため、非常ライトを連続点滅して光によるＳＯＳ信号を発信し続けると、すぐにバッテリが消耗してしまうといった問題があった。そのため、バッテリの消耗を軽減する必要があるが、特許文献１の携帯電話機では、このような工夫はされていない。
【０００６】
また、上記特許文献２の携帯電話機の場合、事態を検知すると発光手段を断続的または連続的に発光させることができるが、この発光は当該携帯電話機の使用者に例えば車の盗難等を知らせるためのものである。そのため、単なる発光でも使用者はそれを警報であると認識することができる。これに対し、例えばこの携帯電話機の使用者が山等で遭難したときに発光手段をただ単に発光させただけでは、その発光の意味が第三者には分からないため、見過ごしてしまう可能性があるといった問題があった。
【０００７】
すなわち、山や海等で遭難した場合には、第三者により分かり易い形で信号を発信する必要があるとともに、バッテリの容量に制限があることを考えると、その信号をより長く、またはより確実なタイミングで発信する工夫が必要となる。
【０００８】
本発明はかかる実情に鑑みて創案されたもので、その目的は、自身に非常事態が発生した場合に、周囲の人に救助を求めるためのより確実な機能を搭載したカメラ付き情報携帯端末を提供することにある。
【課題を解決するための手段】
【０００９】
上記課題を解決するため、本発明のカメラ付き情報携帯端末は、ストロボ手段を有するカメラ付き情報携帯端末において、ストロボ光の発光タイミングを制御する制御手段と、内蔵カメラの通常の撮影モードと非常時モードの切り替えを行う切替手段とを備えており、前記切替手段により非常時モードに切り替えられたとき、前記制御手段は、前記ストロボ光の発光タイミングをモールス信号のＳＯＳのタイミングに合わせて複数回連続発光させると一定時間発光を停止し、その後再び前記ＳＯＳのタイミングに合わせて複数回連続発光させる処理を繰り返す非常発光制御を実行することを特徴とする。
【００１０】
すなわち、制御手段は、切替手段により非常時モードに切り替えられたとき、ストロボ光をＳＯＳのタイミングに合わせて例えば１０回連続発光させると一定時間である例えば３０秒間、発光を停止し、その後再びＳＯＳのタイミングに合わせて１０回連続発光させる処理を繰り返す。
【００１１】
通常、カメラ撮影のためのストロボ発光を１回行うと、その後３〜１０秒の間、ストロボコンデンサを充電する必要がある。つまり、ストロボ発光はかなりの電力を消耗する。そのため、ＳＯＳのタイミングでストロボを連続発光させ続けると、バッテリの消耗が激しく、そのままではＳＯＳ信号を５０回程度連続発信しただけでバッテリが空になってしまう。これは、時間にして２〜３分程度であり、非常時の発信時間としては不十分である。これに対し、本発明のように、１０回連続発光させた後、３０秒間発光を停止すると、その間にバッテリがある程度回復するため、より長い時間、すなわちより多い回数、ＳＯＳ信号を発信することができる。このように、ＳＯＳ信号を、間欠的にしろより長い時間発信し続けることは、遭難等の非常事態では、発見される可能性がそれだけ高くなるため、重要なことである。
【００１２】
また、本発明のカメラ付き情報携帯端末は、周囲の光量変化を検知する光センサをさらに備えており、前記切替手段により非常時モードに切り替えられたとき、前記制御手段は、前記光センサからの検知信号の入力待ち状態に移行し、前記光センサから検知信号が入力されたとき、上記の非常発光制御を実行する構成としてもよい。例えば夜間の捜索では、捜索者はライトを照らして遭難者を捜索する。そのため、このライトを光センサが検知したときに非常発光制御を開始することで、捜索者が近くに来たときに確実にＳＯＳ信号を発信することができるため、捜索者に発見される可能性がより高くなるものである。
【００１３】
また、本発明のカメラ付き情報携帯端末は、周囲の音を検知する音センサをさらに備えており、前記切替手段により非常時モードに切り替えられたとき、前記制御手段は、前記音センサからの検知信号の入力待ち状態に移行し、前記音センサから検知信号が入力されたとき、前記非常発光制御を実行する構成としてもよい。例えば捜索者は、遭難者に聞こえるように大声を出しながら捜索する。そのため、この声や捜索者の靴音等を音センサが検知したときに非常発光制御を開始することで、捜索者が近くに来たときに確実にＳＯＳ信号を発信することができるため、捜索者に発見される可能性がより高くなるものである。
【００１４】
また、本発明のカメラ付き情報携帯端末は、第１のストロボ手段と第２のストロボ手段とを有するカメラ付き情報携帯端末において、前記第１及び第２のストロボ手段の各ストロボ光の発光タイミングを制御する制御手段と、内蔵カメラの通常の撮影モードと非常時モードの切り替えを行う切替手段と、周囲の光量変化を検知する光センサとを備えており、前記切替手段により非常時モードに切り替えられたとき、前記制御手段は、前記第１のストロボ手段のストロボ光の発光タイミングをモールス信号のＳＯＳのタイミングで連続発光させる非常発光制御を実行するとともに、前記光センサから検知信号が入力されたとき、前記第２のストロボ手段のストロボ光の発光タイミングをモールス信号のＳＯＳのタイミングで連続発光させる非常発光制御を実行することを特徴とする。
【００１５】
本発明によれば、内蔵のストロボ手段（第１のストロボ手段）と着脱可能な外付けのストロボ手段（第２のストロボ手段）とを有している場合に、これらストロボ手段の使い分けを行うことによって、捜索者に発見される可能性を高めることができる。すなわち、遭難直後は、内蔵のストロボ手段によりＳＯＳ信号をバッテリが消耗するまで連続発光させる。これにより、捜索者がたまたま近くにいたときには、より確実に居場所を知らせることができる。一方、内蔵のストロボ手段の連続発光によっても救助されなかった場合には、次に、外付けのストロボ手段を利用する。この場合、救助をより確実なものとするため、光センサから検知信号が入力されたとき、外付けのストロボ手段をＳＯＳのタイミングで連続発光させる。これにより、捜索者が近くにいる可能性の高いタイミングでストロボを発光することができるため、発見される可能性がより高くなるものである。
【００１６】
また、本発明のカメラ付き情報携帯端末は、第１のストロボ手段と第２のストロボ手段とを有するカメラ付き情報携帯端末において、前記第１及び第２のストロボ手段の各ストロボ光の発光タイミングを制御する制御手段と、内蔵カメラの通常の撮影モードと非常時モードの切り替えを行う切替手段と、周囲の光量変化を検知する光センサとを備えており、前記切替手段により非常時モードに切り替えられたとき、前記制御手段は、前記第１のストロボ手段のストロボ光を前記ＳＯＳのタイミングに合わせて複数回連続発光させると一定時間発光を停止し、その後再び前記ＳＯＳのタイミングに合わせて複数回連続発光させる処理を繰り返す非常発光制御を実行するとともに、前記光センサから検知信号が入力されたとき、前記第２のストロボ手段のストロボ光の発光タイミングをモールス信号のＳＯＳのタイミングで連続発光させる非常発光制御を実行することを特徴とする。
【００１７】
本発明によれば、内蔵のストロボ手段（第１のストロボ手段）と着脱可能な外付けのストロボ手段（第２のストロボ手段）とを有している場合に、これらストロボ手段の使い分けを行うことによって、捜索者に発見される可能性を高めることができる。すなわち、遭難直後は、内蔵のストロボ手段によりＳＯＳ信号をバッテリの消耗を極力抑えつつ、間欠的に発光させる。これにより、捜索者がたまたま近くにいたときには、より確実に居場所を知らせることができる。一方、内蔵のストロボ手段の発光によっても発見されなかった場合には、次に、外付けのストロボ手段を利用する。この場合、救助をより確実なものとするため、光センサから検知信号が入力されたとき、外付けのストロボ手段をＳＯＳのタイミングで連続発光させる。これにより、捜索者が近くにいる可能性の高いタイミングでストロボを発光することができるため、発見される可能性がより高くなるものである。
【００１８】
また、本発明のカメラ付き情報携帯端末は、第１のストロボ手段と第２のストロボ手段とを有するカメラ付き情報携帯端末において、前記第１及び第２のストロボ手段の各ストロボ光の発光タイミングを制御する制御手段と、内蔵カメラの通常の撮影モードと非常時モードの切り替えを行う切替手段と、周囲の音を検知する音センサとを備えており、前記切替手段により非常時モードに切り替えられたとき、前記制御手段は、前記第１のストロボ手段のストロボ光の発光タイミングをモールス信号のＳＯＳのタイミングで連続発光させる非常発光制御を実行するとともに、前記音センサから検知信号が入力されたとき、前記第２のストロボ手段のストロボ光の発光タイミングをモールス信号のＳＯＳのタイミングで連続発光させる非常発光制御を実行することを特徴とする。
【００１９】
本発明によれば、内蔵のストロボ手段（第１のストロボ手段）と着脱可能な外付けのストロボ手段（第２のストロボ手段）とを有している場合に、これらストロボ手段の使い分けを行うことによって、捜索者に発見される可能性を高めることができる。すなわち、遭難直後は、内蔵のストロボ手段によりＳＯＳ信号をバッテリが消耗するまで連続発光させる。これにより、捜索者がたまたま近くにいたときには、より確実に居場所を知らせることができる。一方、内蔵のストロボ手段の連続発光によっても救助されなかった場合には、次に、外付けのストロボ手段を利用する。この場合、救助をより確実なものとするため、音センサから検知信号が入力されたとき、外付けのストロボ手段をＳＯＳのタイミングで連続発光させる。これにより、捜索者が近くにいる可能性の高いタイミングでストロボを発光することができるため、発見される可能性がより高くなるものである。
【００２０】
また、本発明のカメラ付き情報携帯端末は、第１のストロボ手段と第２のストロボ手段とを有するカメラ付き情報携帯端末において、前記第１及び第２のストロボ手段の各ストロボ光の発光タイミングを制御する制御手段と、内蔵カメラの通常の撮影モードと非常時モードの切り替えを行う切替手段と、周囲の音を検知する音センサとを備えており、前記切替手段により非常時モードに切り替えられたとき、前記制御手段は、前記第１のストロボ手段のストロボ光を前記ＳＯＳのタイミングに合わせて複数回連続発光させると一定時間発光を停止し、その後再び前記ＳＯＳのタイミングに合わせて複数回連続発光させる処理を繰り返す非常発光制御を実行するとともに、前記音センサから検知信号が入力されたとき、前記第２のストロボ手段のストロボ光の発光タイミングをモールス信号のＳＯＳのタイミングで連続発光させる非常発光制御を実行することを特徴とする。
【００２１】
本発明によれば、内蔵のストロボ手段（第１のストロボ手段）と着脱可能な外付けのストロボ手段（第２のストロボ手段）とを有している場合に、これらストロボ手段の使い分けを行うことによって、捜索者に発見される可能性を高めることができる。すなわち、遭難直後は、内蔵のストロボ手段によりＳＯＳ信号をバッテリの消耗を極力抑えつつ、間欠的に発光させる。これにより、捜索者がたまたま近くにいたときには、より確実に居場所を知らせることができる。一方、内蔵のストロボ手段の発光によっても発見されなかった場合には、次に、外付けのストロボ手段を利用する。この場合、救助をより確実なものとするため、音センサから検知信号が入力されたとき、外付けのストロボ手段をＳＯＳのタイミングで連続発光させる。これにより、捜索者が近くにいる可能性の高いタイミングでストロボを発光することができるため、発見される可能性がより高くなるものである。
【発明の効果】
【００２２】
本発明によれば、非常時モード時、ストロボ光をＳＯＳのタイミングに合わせて複数回連続発光させると一定時間発光を停止し、その後再びＳＯＳのタイミングに合わせて複数回連続発光させる処理を繰り返すことにより、バッテリの消耗を抑えつつ、より長い時間、すなわちより多い回数、ＳＯＳ信号を発信することができる。これにより、遭難等の非常事態において、発見される可能性をそれだけ高くすることができる。
【００２３】
また、本発明によれば、光センサや音センサを用いることで、捜索者が近くに来たときに確実にＳＯＳ信号を発信することができるため、捜索者に発見される可能性をより高くすることができる。
【００２４】
また、本発明によれば、内蔵のストロボ手段と着脱可能な外付けのストロボ手段とを有している場合に、これらストロボ手段の使い分けを行うことによって、捜索者に発見される可能性をより高めることができる。
【発明を実施するための最良の形態】
【００２５】
以下、本発明の実施の形態について、図面を参照して説明する。
【００２６】
＜実施形態１＞
図１は、本発明のカメラ付き情報携帯端末の実施形態１に係るカメラ付き携帯電話機１Ａの電気的構成を示すブロック図である。また、図２（ａ）はこのカメラ付き携帯電話機を閉じた状態の背面から見た斜視図、（ｂ）は展開した状態の正面図である。
【００２７】
本実施形態１のカメラ付き携帯電話機１Ａは、本電話機の各種動作を制御する制御部２と、使用者が操作するダイヤルキーや機能キーが配置された操作部３と、被写体を撮影するための撮影レンズ（対物レンズ）やＣＣＤを有する撮影部４と、撮影部４で撮影されている被写体の撮影画像や電話機本体の動作状態を表示する表示部５と、撮影時におけるフラッシュの点灯または点滅を制御するストロボ部６と、自動タイマー撮影モード時に各種の時間を計測するタイマー部７と、撮影部４で撮影された被写体の撮影画像を電子データで記録する記録部８と、マイクロホンやスピーカを備えた受話部９と、他の携帯電話機等の情報携帯端末と無線基地局を介して通信する無線通信部１０と、を備えている。
【００２８】
このカメラ付き携帯電話機１Ａは、内面側に操作部３が配置された第１の筺体４１と、内面側に表示部５が配置された第２の筺体４２とがヒンジ部４３によって折り畳み可能に設けられている。第１の筐体４１の内面側に配置された操作部３は、少なくともシャッターボタンを兼用する選択ボタン３１、本電話機の電源をオン／オフする電源ボタン３２、表示部５に各種メニューを表示するためのメニューボタン３３、及びメニュー画面で各種機能を設定するための上下左右の方向選択ボタン３４を備えている。また、第１の筐体４１の外面側には、撮影部４の撮影レンズ４ａとストロボ部６によりその点灯が制御されるフラッシュ１３とが近接して配置されており、さらに本発明の特徴である非常時ボタン３６が配置されている。非常時ボタン３６は、遭難等の非常事態が発生したときにのみ使用するボタンであり、通常は使用しないボタンであるため、操作部３とは離れた場所に設けられている。
【００２９】
また、本実施形態１では、使用者が不測に非常時ボタン３６に触らないように、非常時ボタン３６は開閉可能な蓋体３７によって普段は隠された状態となっている。ただし、このような非常時ボタン３６を設けず、メニュー画面から非常時モードを選択し、選択ボタン（シャッターボタン）３１を押すことで非常時モードを実行するようにしてもよい。
【００３０】
また、第２の筐体４１の内面側には、表示部５によりその画面表示が制御される液晶表示器１４が配置されている。液晶表示器１４には、撮影部４で撮影されている被写体の撮影画像や、記録部８に記録されている撮影画像が表示される。この液晶表示器１４が、カメラ撮影時のファインダーとなる。
【００３１】
記録部８は、撮影部４で撮影した被写体の撮影画像を電子データで記録媒体である例えばフラッシュメモリカードに記録する。このフラッシュメモリカードは第１の筐体４１に対して着脱可能となっている。
【００３２】
さらに、本実施形態１のカメラ付き携帯電話機１Ａは、第１の筐体４１にセットされたバッテリ（不図示）により、本体各部に動作電源を供給する。カメラ付き携帯電話機１Ａには、待機モードと撮影モードの２つのモードがある他、本発明の特徴である非常時モードがある。第１の筐体４１にセットされているバッテリにより、本体各部に動作電源の供給が行われており、被写体の撮影が行える状態が撮影モードである。一方、電源ボタン３２の操作（押下）及び無線通信部１０からの着信を検出する検出機構部のみ動作電源が供給されており、その他の機構部（撮影部４、表示部５、照明部６、タイマー部７、記録部８、受話部９）に動作電源が供給されていない状態が待機モードである。待機モードは、カメラ付き携帯電話機１Ａの消費電力を抑えたモードである。通常、撮影時にカメラ付き携帯電話機１Ａを待機モードから撮影モードに移行させて被写体の撮影を行い、撮影終了時にカメラ付き携帯電話機１Ａを撮影モードから待機モードに戻す。
【００３３】
制御部２は、シャッターボタン３１が押されることによって被写体の撮影画像を記録媒体に記録する撮影画像記録制御処理を実行する。
【００３４】
上記構成において、本実施形態１では、制御部２は、非常時ボタン３６が押されると、非常時モードに移行する。すなわち、ストロボ部６によるフラッシュ１３の発光タイミングをモールス信号のＳＯＳのタイミングに合わせて複数回連続発光させると一定時間発光を停止し、その後再びＳＯＳのタイミングに合わせて複数回連続発光させる処理を繰り返す非常発光制御を実行する。
【００３５】
この場合、モールス信号のＳＯＳは、図３に示すように、「ト、ト、ト、ツー、ツー、ツー、ト、ト、ト」のタイミングの繰り返しとなり、短点である「ト」を１とすると、長点である「ツー」は「３」であり、その間隔は「１」である。
【００３６】
一方、フラッシュ１３は一般的にキセノン管が用いられているため、フラッシュ１３の発光は一瞬で終わる。そのため、Ｓ信号を表す「ト」のときはできるだけ発光時間を短くする。また、Ｏ信号である「ツー」では、ストロボ部６のゲート隔離型バイポーラトランジスタ（ＩＧＴＢ）若しくはサイリスタを破壊しない範囲でスイッチングを行うことによって、長い間光っているように見せる必要がある。
【００３７】
本実施形態１では、このようなストロボ部６の制御により、フラッシュ１３をＳＯＳのタイミングに合わせて例えば１０回連続発光させると、一定時間である例えば３０秒間、発光を停止する。そして、３０秒後に再びＳＯＳのタイミングに合わせて１０回連続発光させる。このような処理を、バッテリ（不図示）が消耗するまで繰り返す。なお、一定時間である３０秒は、タイマー部７によって計測する。
【００３８】
通常、カメラ撮影のためのストロボ発光を１回行うと、その後３〜１０秒の間、ストロボコンデンサを充電する必要がある。つまり、ストロボ発光はかなりの電力を消耗する。そのため、ＳＯＳのタイミングでストロボを連続発光させ続けると、バッテリの消耗が激しく、そのままではＳＯＳ信号を５０回程度連続発信しただけでバッテリが空になってしまう。これは、時間にして２〜３分程度であり、非常時の発信時間としては不十分である。これに対し、本実施形態１のように、１０回連続発光させた後、３０秒間発光を停止すると、その間にバッテリがある程度回復するため、より長い時間、すなわちより多い回数、ＳＯＳ信号を発信することが可能となるものである。ただし、一定時間については、３０秒に限らず適宜設定すればよい。また、その設定も、ユーザによって任意の時間に設定可能としてもよい。
【００３９】
＜実施形態２＞
図４は、本実施形態２のカメラ付き携帯電話機１Ｂの電気的構成を示すブロック図、図５は本実施形態２における非常時モードでの非常発光制御処理を示すフローチャートである。
【００４０】
本実施形態２のカメラ付き携帯電話機１Ｂは、上記実施形態１のカメラ付き携帯電話機1Ａにおいて、周囲の状況を検知する検知部１１をさらに設けたものである。検知部１１としては、周囲の光量変化を検知する光センサや、周囲の音を検知する音センサを用いることができる。
【００４１】
このような構成において、本実施形態２では、制御部２は、非常時ボタン３６が押されると（ステップＳ１でＹｅｓと判断されると）、非常時モードに移行し（ステップＳ２）、検知部１１からの検知信号の入力待ち状態となる（ステップＳ３）。そして、検知部１１から検知信号が入力されると（ステップＳ３でＹｅｓと判断されると）、制御部２は非常発光制御を開始する（ステップＳ４）。すなわち、ストロボ部６によるフラッシュ１３の発光タイミングをモールス信号のＳＯＳのタイミングに合わせて１０回連続発光させると、その後３０秒間発光を停止し、３０秒後に再びＳＯＳのタイミングに合わせて１０回連続発光させる、といった処理を、バッテリ（不図示）が消耗するまで繰り返す。
【００４２】
本実施形態２によれば、例えば夜間の捜索の場合、捜索者はライトを照らして遭難者を捜索する。そのため、検知部１１が光センサの場合、このライト光を光センサが検知したときに非常発光制御を開始することで、捜索者が近くに来たときに確実にＳＯＳ信号を発信することができる。なお、光量変化の閾値をある程度低く設定しておけば、昼間であっても、ライト等に照らされたとき、これを検知することが可能である。
【００４３】
また、例えば捜索者は、遭難者に聞こえるように大声を出しながら捜索する。そのため、検知部１１が音センサの場合、この声や捜索者の靴音等を音センサが検知したときに非常発光制御を開始することで、捜索者が近くに来たときに確実にＳＯＳ信号を発信することができる。なお、検知部１１にこのような光センサと音センサの両方を設けておき、いずれか一方のセンサの検知信号に基づいて非常発光制御を行うように構成してもよい。
【００４４】
＜実施形態３＞
図６は、本実施形態３のカメラ付き携帯電話機１Ｃの電気的構成を示すブロック図である。
【００４５】
本実施形態３のカメラ付き携帯電話機１Ｃは、上記実施形態２のカメラ付き携帯電話機1Ｂにおいて、内蔵のストロボ部６とは別に、着脱可能な外付けのストロボ部１２をさらに設けたものである。外付けのストロボ部１２は、銀塩カメラなどでは一般的なものである。
【００４６】
このような構成において、本実施形態３では、内蔵ストロボ部６と着脱可能な外付けストロボ部１０２との使い分けを行うことによって、捜索者に発見される可能性をより高めることができるカメラ付き携帯電話機１Ｃを提供するものである。以下、本実施形態３のカメラ付き携帯電話機１Ｃにおける非常時モードでの非常発光制御処理について、実施例を挙げて説明する。
【実施例１】
【００４７】
図７は、本実施例１の非常発光制御処理を示すフローチャートである。以下、図７に示すフローチャートを参照して本実施例１の非常発光制御処理を説明する。
【００４８】
制御部２は、非常時ボタン３６が押されると（ステップＳ１１でＹｅｓと判断されると）、非常時モードに移行する（ステップＳ１２）。すなわち、制御部２は、まず内蔵ストロボ部６の制御により、フラッシュ１３をＳＯＳのタイミングに合わせて連続発光させる非常発光制御を実行する（ステップＳ１３）。この発光制御は、内蔵のバッテリ（不図示）が消耗するまで繰り返される。ただし、検知部１１からの信号を検知する検知機構部（不図示）の動作電源と制御部６の動作電源が供給できる程度の電力は残しておくものとする。
【００４９】
一方、制御部６は、このような処理と並行して、検知部１１からの検知信号の入力の有無を監視する（ステップＳ１４）。そして、検知部１１から検知信号が入力されると（ステップＳ１４でＹｅｓと判断されると）、制御部２は外付けストロボ部１２による非常発光制御を開始する（ステップＳ１５）。すなわち、外付けストロボ部１２によるフラッシュの発光タイミングをモールス信号のＳＯＳのタイミングに合わせて連続発光させる。この発光制御は、外付けストロボ部１２の内蔵バッテリ（不図示）が消耗するまで繰り返される。
【００５０】
本実施例１によれば、例えば夜間の捜索の場合、捜索者はライトを照らして遭難者を捜索する。そのため、検知部１１が光センサの場合、このライト光を光センサが検知したときに外付けストロボ部１２の非常発光制御を開始することで、捜索者が近くに来たときに確実にＳＯＳ信号を発信することができる。
【００５１】
また、例えば捜索者は、遭難者に聞こえるように大声を出しながら捜索する。そのため、検知部１１が音センサの場合、この声や捜索者の靴音等を音センサが検知したときに外付けストロボ部１２の非常発光制御を開始することで、捜索者が近くに来たときに確実にＳＯＳ信号を発信することができる。
【実施例２】
【００５２】
本実施例２の非常発光制御は、内蔵ストロボ部６の非常発光制御が上記実施例１とは異なる実施例である。以下、図８に示す非常発光制御処理を示すフローチャートを参照して本実施例２の非常発光制御処理を説明する。
【００５３】
制御部２は、非常時ボタン３６が押されると（ステップＳ２１でＹｅｓと判断されると）、非常時モードに移行する（ステップＳ２２）。すなわち、制御部２は、まず内蔵ストロボ部６の制御により、フラッシュ１３の発光タイミングをモールス信号のＳＯＳのタイミングに合わせて１０回連続発光させると、その後３０秒間発光を停止し、３０秒後に再びＳＯＳのタイミングに合わせて１０回連続発光させる、といった非常発光制御処理を、バッテリ（不図示）が消耗するまで繰り返す（ステップＳ２３）。ただし、検知部９からの信号を検知する検知機構部（不図示）の動作電源と制御部６の動作電源が供給できる程度の電力は残しておくものとする。
【００５４】
一方、制御部６は、このような処理と並行して、検知部１１からの検知信号の入力の有無を監視する（ステップＳ２４）。そして、検知部９から検知信号が入力されると（ステップＳ２４でＹｅｓと判断されると）、制御部２は外付けストロボ部１２による非常発光制御を開始する（ステップＳ２５）。すなわち、外付けストロボ部１２によるフラッシュの発光タイミングをモールス信号のＳＯＳのタイミングに合わせて連続発光させる。この発光制御は、外付けストロボ部１２の内蔵バッテリ（不図示）が消耗するまで繰り返される。
【００５５】
本実施例２によれば、例えば夜間の捜索の場合、捜索者はライトを照らして遭難者を捜索する。そのため、検知部１１が光センサの場合、このライト光を光センサが検知したときに外付けストロボ部１２の非常発光制御を開始することで、捜索者が近くに来たときに確実にＳＯＳ信号を発信することができる。
【００５６】
また、例えば捜索者は、遭難者に聞こえるように大声を出しながら捜索する。そのため、検知部１１が音センサの場合、この声や捜索者の靴音等を音センサが検知したときに外付けストロボ部１２の非常発光制御を開始することで、捜索者が近くに来たときに確実にＳＯＳ信号を発信することができる。
【００５７】
なお、本発明のカメラ付き情報携帯端末は、上記実施形態で説明したカメラ付き携帯電話機の他、カメラ付きＰＤＡやＣＣＤ撮像素子を搭載した銀塩カメラ等の撮像装置にも適用することが可能である。
【図面の簡単な説明】
【００５８】
【図１】本発明の実施形態１に係るカメラ付き携帯電話機の電気的構成を示すブロック図である。
【図２】（ａ）はカメラ付き携帯電話機を閉じた状態の背面から見た斜視図、（ｂ）は展開した状態の正面図である。
【図３】モールス信号の発光制御方法を説明する波形図である。
【図４】本発明の実施形態２に係るカメラ付き携帯電話機の電気的構成を示すブロック図である。
【図５】実施形態２のカメラ付き携帯電話機における非常発光制御処理を示すフローチャートである。
【図６】本発明の実施形態３に係るカメラ付き携帯電話機の電気的構成を示すブロック図である。
【図７】実施形態３のカメラ付き携帯電話機における非常発光制御処理の実施例１を示すフローチャートである。
【図８】実施形態３のカメラ付き携帯電話機における非常発光制御処理の実施例２を示すフローチャートである。
【符号の説明】
【００５９】
１  カメラ付き携帯電話機
２  制御部
３  操作部
４  撮影部
５  表示部
６  ストロボ部
７  タイマー部
８  記録部
９  受話部
１０  無線通信部
１１  検知部
１２  外付けストロボ部
１３  フラッシュ
１４  液晶表示器
３１  シャッターボタン（選択ボタン）
３２  電源ボタン
３３  メニューボタン
３４  方向選択ボタン
３６  非常時ボタン
３７  蓋体
４１  第１の筐体
４２  第２の筐体
４３  ヒンジ部
【図１】
2008085409.tif 000003
【図２】
2008085409.tif 000004
【図３】
2008085409.tif 000005
【図４】
2008085409.tif 000006
【図５】
2008085409.tif 000007
【図６】
2008085409.tif 000008
【図７】
2008085409.tif 000009
【図８】
2008085409.tif 000010